(57)【要約】【課題】  内側に収容された流体又は半流体の物質を最後まで使い切ることができる容器兼用ディスペンサーを提供する。【解決手段】  この装置は、上部に内容物Ｐを注出させるためのポンプ１８を有する容器２を備える。容器内には、容器内部を密閉状態で二分するベロー形状の弾性変形自在のバッグ２８が容器のベース部４側にその下端周縁部で固定されている。このバッグ２８は、容器２の内部形状に対応した形状に形成されている。ベース部には、外部と連通する開口部１１が設けられている。バッグ２８は、内容物Ｐが注出されるにつれて、外部の空気を開口部１１から吸引しつつ容器内上方へ移動することができ、最終的に、容器内の内容物Ｐのほぼ全部を外部へ注出することができる。【選択図】  図２
2005206255.tif 000002
【特許請求の範囲】
【請求項１】
流体又は半流体の物質（Ｐ）を収容し小出しするための装置（１；４０；５０；６０）において、
ポンプ（１８）が設けられる物質注出用オリフィスを有し上記物質（Ｐ）を収容するのに適した容器であって、該容器の内側に上記物質（Ｐ）を収容するスペース（２３）を形成するバッグからなる底壁部（２８）を有する容器（２）を備え、
上記ポンプ（１８）は、空気を流入させることなく物質（Ｐ）を注出させることができるようにするのに適した弁を備え、
上記バッグ（２８）は、上記スペース（２３）の容積を減じるようにかつ容器（２）内の物質（Ｐ）が空気に接することのないように、上記物質（Ｐ）の注出に対応して上記容器（２）の内側を移動することができ、
上記バッグ（２８）の一端側周縁部は、上記容器（２）に固定され、
上記バッグ（２８）は、バッグ（２８）が容器（２）の内部形状と実質的に一致するまで変形して上記スペース（２３）の容積を減じるように構成され、
上記バッグ（２８）は、弾性的に変形可能な材料からなることを特徴とする装置。
【請求項２】
上記ポンプ（１８）は、使用時に、上記容器（２）の上部に位置することを特徴とする請求項１記載の装置。
【請求項３】
上記バッグ（２８）は、初期に、その壁部にテンションが作用しないように展開し、その後、弾性的に拡張できるように構成されたことを特徴とする請求項１又は２記載の装置。
【請求項４】
上記バッグ（２８）は、初期に、その壁部にテンションが作用しないようにかつ上記物質（Ｐ）が初期に占めていたスペース（２３）の半分以上を占めるように展開し、次いで、弾性的に拡張して注出されるべき上記物質（Ｐ）が占める残りのスペース（２３）を占めるように構成されたことを特徴とする請求項３記載の装置。
【請求項５】
上記バッグ（２８）は、弾性変形不能であり気体に対する高不浸透性を有する裏材を内側に備え、
該裏材は、上記バッグ（２８）の上記壁部がテンションの作用を受けるまで、バッグ（２８）の変形に対応して展開されるように構成されたことを特徴とする請求項４記載の装置。
【請求項６】
上記バッグ（２８）は、上記容器（２）が満たされているとき、有意にテンションの作用を受けていることを特徴とする請求項１又は２記載の装置。
【請求項７】
上記バッグ（２８）は、実質的に平らな膜形状をなしていることを特徴とする請求項６記載の装置。
【請求項８】
上記容器（２）は、空になるときに、上記バッグ（２８）が１５ｍｍ〜２０ｍｍの高さを移動するように構成されたことを特徴とする請求項７記載の装置。
【請求項９】
少なくとも装置を最初に使用する前に、上記バッグ（２８）の内部（２９）を周囲の空気から遮断するのに適したクロージャー手段（１４；４１，４４；５１，５８；６１，６５）を備えていることを特徴とする請求項１〜８のいずれかに記載の装置。
【請求項１０】
上記バッグ（２８）の内部（２９）を外部に連通させるための開口部に設けられた弁であって、空気を上記バッグ（２８）内に流入させることができるようにする一方空気を外部へ流出させることを防止できるように構成された弁（４１，６２）を備えたことを特徴とする請求項９記載の装置。
【請求項１１】
上記バッグ（２８）は、バッグ（２８）内の空気が吸い出されることにより、装置使用前に折り畳まれていることを特徴とする請求項９又は１０記載の装置。
【請求項１２】
上記バッグ（２８）は、折り畳み状態においてベロー形状をなすことを特徴とする請求項９〜１１のいずれかに記載の装置。
【請求項１３】
上記クロージャー手段（１４；４１，４４；５１，５８；６１，６５）は、少なくとも２つの位置を有するコック（４４；５１；６１）を備え、
該コック（４４；５１；６１）は、一方の位置において空気の上記バッグ（２８）内への流入を防止し、他方の位置において空気をバッグ（２８）内に流入させることができるように構成されたことを特徴とする請求項９〜１２のいずれかに記載の装置。
【請求項１４】
上記コック（６１）は、空気入口弁（６２）と空気出口弁（６５）とを備え、
空気入口弁（６２）は、コック（６１）の第１位置において、空気をバッグ（２８）から流出させることを防止する一方空気をバッグ（２８）内に流入させるように機能し、
空気出口弁（６５）は、コック（６１）の第２位置において、空気をバッグ（２８）から流出させるようにする一方空気をバッグ（２８）内に流入させることを防止できるように機能することを特徴とする請求項１３記載の装置。
【請求項１５】
上記クロージャー手段は、取り外し可能な膜部材（１４；５８）を有していることを特徴とする請求項１〜１４のいずれかに記載の装置。
【請求項１６】
上記バッグ（２８）は、上記容器（２）のボデー（３）にスナップ係合で固定されるベース部（４）に固定されたことを特徴とする請求項１〜１５のいずれかに記載の装置。
【請求項１７】
上記バッグ（２８）は、他のゾーンよりもより容易に変形するゾーンを有するように一定でない厚さを有し、これにより、１つ以上の方向に容易に変形できるようにしたことを特徴とする請求項１〜１６のいずれかに記載の装置。
【発明の詳細な説明】
【技術分野】
【０００１】
本発明は、流体又は半流体の物質を収容し小出しするための装置に関する。
【背景技術】
【０００２】
ピストンをスライドさせることができる円筒ボデーを有する容器を備えた装置が提案されている。容器の内側において、ピストンは、物質（内容物）を収容するための可変容積を有する空間を構成している。容器には、該空間から物質を取り出すためのポンプが設けられる。ピストンは、ポンプを作動させたときに物質が注出されるのに対応して、容器の内側を移動する。そうすることによって、容器の内側に収容された物質が、空気と接触しないようにしている。このタイプの装置の利点は、頭部を上に向けても下に向けても同じように使用できるという点である。しかし、移動式ピストンを使用すると、特に物質が液体である場合に、漏出の問題が生じるため、このような公知の装置の使用は、歯みがき粉のような粘性物質を収容・供給する場合に限られている。
【０００３】
特許文献１は、流体又は半流体の物質を収容し小出しするための装置を開示している。この装置は、上記物質を収容するのに適した容器を備えている。容器は、空気を流入させることなく物質を注出可能にするのに適した弁を有するポンプに適合した物質出口用オリフィスを有している。容器は、また、容器内に上記物質を収容するスペースを構成するバッグからなる底壁部を有している。上記バッグは、物質の注出に対応して、容器の内側を移動することができ、上記空間の容積を減じると共に、まだ容器内にある物質が空気に接触することのないようにする。バッグの一端側周縁部は、容器に固定されている。バッグは、変形して上記空間の容積を減じ、バッグが容器の内部形状と実質的に一致するように構成されている。バッグは、容器が物質で満たされているときには、折り畳まれていて、物質が小出しされるにつれて展開していく。バッグは、穿孔を有する硬質の壁部によって、容器内部に閉じ込められた状態で保持されている。オリフィスは、物質と反対側に位置するバッグ側面で、空気を容器内に流入させることができる。このドイツ実用新案明細書に記載された装置は、底部にポンプを設けて使用されるものであり、上部にポンプを設けて使用するのには適していない。というのは、このような状況下においては、バッグの折り目により形成されたキャビティに物質（内容物）が保持され、その物質をポンプによって小出しすることができなくなる可能性があるからである。さらに、バッグは、空気を容器に流入させるオリフィスを覆ってしまう危険性を有し、そうすると、装置が正確に機能しなくなる。
【０００４】
特許文献２は、流体又は半流体の物質を収容し小出しするための装置を開示している。この装置は、上記物質を収容するのに適した変形可能な壁部を有する容器を備えている。容器は、空気を流入させることなく物質を注出可能にするのに適した弁に適合した出口用オリフィスを有している。容器は、また、容器内に上記物質を収容するスペースを構成するバッグを備えている。上記バッグは、物質の注出に対応して、容器の内側を移動することができ、上記空間の容積を減じると共に、容器内に保管されている上記物質が空気に接することのないようにしている。バッグの一端側周縁部は、容器に固定されている。バッグは、拡張して、上記空間の容積を減じるように構成されている。物質が容器から小出しされるにつれて、バッグは、オリフィスを通して容器内に空気を充填させる。オリフィスは、弁に適合し、これにより、容器の壁部が圧縮されて物質を放出するときに、空気がバッグから流出しないようにする。バッグは、弾性的に変形可能であり、圧縮状態の空気を収容する。バッグは、容器内の容積の大部分を占めたとき、容器の壁部に加えられた圧力により、バッグに収容された空気は圧縮され、その結果、バッグは、わずかしか拡張しなくなる。そのため、物質を小出しするのが困難になる。したがって、この装置を使用すると、容器内に収容されたすべての物質を消費することが容易でない。
【特許文献１】ドイツ実用新案第Ｇ９０１３１６８．１号公報
【特許文献２】ドイツ特許出願第ＤＥ１５８６７９７号公報
【発明の開示】
【発明が解決しようとする課題】
【０００５】
したがって、本発明の目的は、流体又は半流体の物質を収容し小出しするための新規な装置を提供することである。
【課題を解決するための手段】
【０００６】
上記課題を解決するために、本発明によれば、以下の構成の装置が提供される。
【０００７】
すなわち、この装置は、上記物質を収容するのに適した容器を備えたタイプのものである。容器は、ポンプが設けられる物質注出用オリフィスを有している。容器は、また、該容器の内側に上記物質を収容するスペースを形成するバッグからなる底壁部を有している。ポンプは、空気を流入させることなく物質を注出させることができるようにするのに適した弁を備えている。上記バッグは、上記スペースの容積を減じるようにかつ容器内の物質が空気に接することのないように、上記物質の注出に対応して容器の内側を移動することができる。上記バッグの一端側周縁部は、容器に固定されている。バッグは、バッグが容器の内部形状と実質的に一致するまで変形して上記スペースの容積を減じるように構成される。この装置は、また、ポンプを上部又は下方に設けて使用することができ、容器内に収容された物質のほぼ全部を小出しすることができる。
【０００８】
これは、バッグを弾性的に変形可能な材料から形成することにより、実現される。
【０００９】
物質が容器から流出するとき、該物質の流出により上記スペースで吸気が行われ、その結果、上記スペースの容積を減じる方向にバッグは変形する。これは、上記吸気が終了するまで継続する。
【００１０】
バッグは、弾性を有しているので、最大限に拡張した状態のバッグは、初期に物質が占めていた容積のほぼ全体を都合よく占める。これは、どのような形状の容器にもあてはまる。したがって、本発明は、多種多様な形状を有する容器の使用を可能にする。一方、移動式ピストンを有する従来の装置は、必ず円筒形状のボデーを有していなければならない。
【００１１】
本発明の好ましい実施形態において、ポンプは、使用時に、容器の上部に位置する。
【００１２】
本発明の特定の実施形態において、バッグは、初期に、その壁部にテンションが作用しないように展開し、その後、弾性的に拡張できるように構成される。
【００１３】
すなわち、上記バッグは、初期に、その壁部にテンションが作用しないようにかつ上記物質が初期に占めていたスペースの半分以上を占めるように展開する。バッグは、次いで、弾性的に拡張して注出されるべき上記物質が占める残りのスペースを占めるように構成される。
【００１４】
バッグは、容器が所定の割合まで空になった後に弾性的に拡張するのに適しているので、容器が満たされたときに、それは、弾性材料から形成されない公知装置のバッグよりも少ない折り目を有する。その結果、空気入口用オリフィスが塞がれる可能性が減少する。
【００１５】
都合がよいことには、バッグは、弾性変形不能であり気体に対する高不浸透性を有する裏材を内側に備える。該裏材は、バッグの壁部がテンションの作用を受けるまで、バッグの変形に対応して展開されるように構成される。
【００１６】
本発明の他の特定の実施形態において、バッグは、容器が満たされているとき、有意にテンションの作用を受ける。
【００１７】
すなわち、容器が満たされているとき、バッグは、実質的に平らな弾性を有する膜形状であることができる。容器は、実質的に平坦であると共に、空になったときに、バッグが、例えば１５ｍｍ〜２０ｍｍの範囲の比較的小さい距離を移動するような形状を有することができる。
【００１８】
本発明の特定の実施形態に係る装置は、少なくとも装置を最初に使用する前に、バッグの内部を周囲の空気から遮断するのに適したクロージャー手段を備えている。このバッグとの関連において、このようなクロージャー手段は、バッグと協働して、二重の封止バリヤ（密閉バリヤ）を構成し、容器内に収容された物質を長期間にわたって保存できるようにする。さらに、クロージャー手段が、容器上の所定位置にあるとき、このクロージャー手段は、バッグが空気の流入によって拡張しないようにすると共に、ポンプが使用されて物質が流出することを防ぐ。このように、クロージャー手段は、偽造防止用シール（tamperproofing seal）として都合よく機能する。クロージャー手段が、装置上で無傷の状態である限りは、装置は、それまでに通常の方法で使用されていないということが、使用者に分かるようになっている。
【発明を実施するための最良の形態】
【００１９】
以下に、本発明の実施形態を図１〜７に従って、詳細に説明する。
【００２０】
図１，２は、流体又は半流体の化粧用物質Ｐを収容し小出しするための装置１を示している。もちろん、化粧用物質以外の物質を収容し小出しするために本装置を使用することは、本発明の範囲を超えるものではない。
【００２１】
装置１は、硬質の壁部を有する容器２を備えている。容器２は、本実施形態において、ほぼ円形に対称であり、ボデー３をベース部４にスナップ係合で固定して組み立てられる。ベース部４は、自由端から径方向内側に突出するリム６を備えた管状の上部スカート５を有している。管状壁部５と係合するように構成した管状の底部スカート７が、ボデー３に備えられている。管状壁部７は、角度をなす外側溝を有する狭小部８を介して、ボデー３の他の部分に接続している。ボデー３をベース部４にスナップ係合したときに、リム６は、上記角度をなす溝に係合する。ベース部４は、ベース部にねじ係合用の外側に形成されたねじ山を備えた管状の底部スカート９を有している。これについては、公知であるので、図示していない。容器２の対称軸に垂直な平面状の壁部１０は、管状の上部スカート５と底部スカート９との接合部から、径方向内側に延在している。この壁部１０は、中央の環状領域を貫通する開口部１１を有している。壁部１０に固定された中央の固定スタッド１２は、上記ねじ山を有する環状部９の内側で、容器２の対称軸沿いに延在する。固定スタッド１２は、以下に述べるように、取り外し自在のクロージャー手段１４を保持するのに使用する。
【００２２】
ボデー３の上部は、径方向外側に突出する環状リム１７を有する上端に、上方に延在する首部１６を備えた壁部１５によって、閉じられている。公知のポンプ１８が、首部１６に固定されている。ポンプ１８は、物質を小出しするための押しボタン１９を備えている。また、ポンプ１８の底部には、首部１６の環状リム１７に係合するような形状を有したキャップ２０が備えられている。ポンプ１８は、物質Ｐを容器２から取り出すためのチューブ２１を有している。チューブ２１は、首部１６の開口に係合し、チューブ２１の底端部は、壁部１５の下方で、物質Ｐを収容する容器２の内部空間に延在している。以下に記載する機能を有する２つの側方開口部２４が、チューブ２１の底端部２２に設けられる。
【００２３】
カバー２５は、ボデー３の首部１６を覆っている。カバー２５は、図１，２に示すようにボデー３に係合し、カバー２５の底縁が、ボデー３の外側面に形成された肩部２６と接するようになっている。カバー２５の上中央部には、押しボタン１９のための通路を設けている。
【００２４】
装置１は、所定の弾性を有するバッグ２８を備えている。バッグ２８は、第１実施形態において、折り畳んだ状態のベロー形状を有していて、容器２内に２つの空間を形成している。一方の空間は、物質Ｐを収容する上記の内部空間２３によって形成されている。他方の空間は、ベローの内側にあり、符号２９で示している。バッグ２８は、変形可能な漏出防止バリヤを形成し、空間２３，２９を分離している。内部空間２９は、図２に示すように、クロージャー手段１４を取り外すと、開口部１１を介して外部と連通する。
【００２５】
バッグ２８の底端部の周縁部は、容器２に固定され、ベローの内側が、開口部１１を介して周囲の空気と連通できるようになっている。より正確に説明すると、壁部２８の底縁が、ベース部４とボデー３の各管状スカート５，７の間に把持されている。図示するように、ベース部４は、環状リップ３０を備えるのが好ましい。この環状リップ３０は、管状スカート５と同心軸を有すると共に、管状スカート５と協働して、ボデー３の管状スカート７の底端部が係合する環状溝３１を構成している。環状リップ３０により、バッグは、管状スカート７の径方向内側の表面に対して把持され、バッグ２８と容器２との間の固定強度及び密閉性が改善される。ボデー３とベース部４との間に把持されたバッグ２８の壁部は、シールリングを構成し、これにより、ボデー３をベース部４上に密着させて組み立てることが可能になる。もちろん、バッグ２８の底端部の縁部を、ボデー３あるいはベース部４のいずれかのみに対して、熱シールで固定したとしても、本発明の範囲を超えるものではない。
【００２６】
本実施形態の上記クロージャー手段１４は、摩擦によって固定スタッド１２に保持される中央凹部を備えたキャップ又は吸入カップ形状を有している。上記凹部の径方向の輪郭を構成する壁部は、径方向外側に斜めに延在する封止リップ３２により、上方に延在している。その結果、キャップ１４が所定位置にあるとき、開口部１１の周囲の壁部１０に対して自由端が押し付けられるようになっている。図示したように、キャップの底端部に舌部３３を設けて、容易に取り外せるようにすると都合が良い。
【００２７】
キャップ１４を所定位置に設ける前に、適切な装置を使用して開口部１１から空気を吸引することによって、内部空間２９を真空にし、図１に示すように、バッグ２８を折り畳むようにするのが好都合である。そうすると、バッグ２８の容器２の内側の容積は小さくなる。
【００２８】
本実施形態において、バッグ２８は、ポンプ１８とカバー２５とを容器２の所定位置に設ける前に、開口部１１から空気を流出させて、折り畳まれる。一旦、バッグ２８が折り畳まれると、容器２は、真空状態で首部１６から物質を充填され、その後、ポンプ１８は首部にスナップ係合せしめられて、カバー２５が取り付けられる。
【００２９】
別の方法として、バッグ２８は、ベース部４のみに固定される。容器２は、バッグ２８を折り畳んだ状態でベース部４をバッグ２８に組み合わせる前に充填される。また、ポンプ１８が既にボデー３の所定位置にある状態では、底部から充填が行われる。充填後は、キャップ１４によって折り畳んだ状態に保持されたバッグ２８と適合するベース部４が、ボデー３に固定される。
【００３０】
ポンプ１８は、従来の方法で構成した弁を備えていて、空気が入り込むことなくチューブ２１を介して容器から物質Ｐを取り出せるようになっている。キャップ１４がまだ所定位置にあるとき、使用者が、押しボタン１９を押すことによって物質Ｐを取り出そうとしても、ポンプは、適切に動作することができず、その物質を小出しすることができない。一方、一旦キャップ１４を取り外すと、バッグ２８は、内部空間２３の容積を減じるように容器２内で拡張することができる。吸引が行われないようにすることで、物質の取り出し防止を図ることができるのである。物質が消費されるにつれて、バッグ２８は、図２に示すように、容器２の対称軸に沿って上方へ伸張する。バッグ２８が拡張することができるのは、空気が、開口部１１からバッグに入ることにより、物質Ｐが収容されている容器２の内側の容積全体を占有することができるからである。
【００３１】
バッグ２８は、ゴム又は熱可塑性エラストマのような弾性的に変形可能な材料で形成している。特に、吹き込み成形法、射出成形法、又はディップ成形法を使用することができる。バッグ２８は、また、少なくとも２つの異なるプラスチック材料の層を互いに組み合わせることによって形成してもよい。また、バッグ２８は、バッグの選択した領域で容易に拡張できるように、厚さが一定でなくてよい。
【００３２】
本実施形態において、バッグ２８は、バッグ２８の壁部にテンションが作用し始める前に物質Ｐによって初期に占められていた容積の約８０％までを占めるように展開することができる。その後、バッグ２８の弾性により、バッグの壁部は、さらに伸張し、容器の内側の形状にフィットして、初期の容積の残りの２０％を占めることができるようになる。
【００３３】
バッグ２８が、底端部の縁部を介して容器に固定されている場合、バッグが弾性的に変形するときには、該変形は、ベース部４に隣接する容器２の壁部に付勢されることにより始まる。その後、底部から上方へ移動するバッグは、容器の壁部に対して付勢されることによって、バッグ２８により、物質Ｐ全体が、外側チューブ２１に向かって確実に持ち上げられていく。
【００３４】
ポンプ１８のチューブ２１の底部に形成した上記側方開口部２４は、物質Ｐが側方からチューブ２１に容易に入り込めるようにすることで、バッグ２８が、チューブ２１の底端縁部に付勢し始めた後も、装置が機能できるようになっている。
【００３５】
不図示の変形形態において、バッグ２８の内側には、例えばポリエチレンのような裏材（ライニング）が備えられる。裏材は、弾性的に変形しないが、気体に対して非常に高い不浸透性を有している。裏材の内側は、開口部１１を介して周囲の空気と連通している。さらに、裏材は、物質によって初期に占められていた容積の約８０％までを占有するように拡張せしめられることができる。裏材の壁部に一旦テンションが作用すると、バッグは、その弾性のために継続して変形し、バッグと裏材の間の間隙に減じられた圧力が作用した状態で、初期容積の残りの２０％を占めるようになる。
【００３６】
図３，４は、本発明の第２実施形態に係る装置４０を示している。
【００３７】
以下の記載において、上記部材に機能的に類似した所定の部材には、同一の参照符号を使用している。これらの部材については、再度説明しないことにする。
【００３８】
装置４０は、特に以下の点において、上記装置と異なっている。弁４１が、内部空間２９が外部と連通するようにした空気の通路に設けられている。この弁４１は、空気が、内部空間２９に入り込むようにすると共に、空気が、内部空間２９から外部へ出て行くのを防止することができる。弁４１は、バッグ自体が拡張するにつれて、空気がバッグ２８に入り込む時に限って、開放される。静止状態において、弁４１は、バッグと協働して、第２の封止バリヤを形成する。その結果、容器に保存された物質は、長期間にわたって保存できるようになる。上記実施形態におけるように、バッグ２８は、その壁部にテンションが作用するまで、拡張することができる。その後、バッグ２８は、図４に示すように、注出される物質Ｐによって初期に占められていた容積のほぼ全体を占めるように、弾性的に変形することができる。弁４１は、膜部材４２を備えている。この膜４２は、周縁部をベース部４に付勢されており、弾性的に変形してオリフィス４３を解放することにより、内部空間２９に空気を流入させることができる。膜４２は、コックを形成する保持部材４４によって、ベース部４に付勢されている。保持部材４４は、ベース部４にスナップ係合しており、容器２の対称軸を中心に回転可能である。膜４２の周縁部は、保持部材４４の環状溝４６に係合する環状リム４５を有している。ベース部４の底面には、膜４２の周縁部のシールを保持するように膜４２をリム４５のベース部に取り付ける環状ビードが設けられている。膜４２は、凹面を上方に向けた半球状の部分４７を有している。半球状部４７は、保持部材４４を貫通する上記オリフィス４３の縁部に付勢させることができるクロージャーフィンガ４８の手段により、下方へ延在している。膜４２は、この半球状部４７が静止状態でわずかに圧力が作用せしめられると同時にオリフィス４３の縁部に対してクロージャーフィンガ４８を弾性的に付勢させてクロージャーフィンガ４８を閉鎖できるように、形成される。したがって、装置４０が使用されない限り、弁は、内部空間２９が外部と連通することができる通路を閉鎖する位置に保持される。
【００３９】
ベース部４と保持部材４４は、共にコックを構成する。このコックは、保持部材４が所定の角度位置にあるとき、オリフィス４３が内部空間２９と連通することができる通路を閉鎖する。保持部材４４は、ベース部４から延在した底面管状延長部４９ｂに係合するプラグ４９ａを形成する部分を有している。
【００４０】
保管に際し、プラグ４９ａと管状部４９ｂとの間の空気の通路を閉じるように、保持部材４４を回転させる。そうすると、バッグ２８の内部２９は、外部から遮断され、物質の保管状態が良くなる。ベース部４と保持部材４４との２つの隣接表面を覆う外部に、引き裂き可能なホイルを取り付けて、偽造防止用目印（tamperproofing mark）として機能させるようにしてもよい。このホイルが無傷である限り、バッグ２８の内部は外部と遮断されており、ポンプ１８の通常の動作が可能ではないことが、使用者に分かるようになっている。
【００４１】
図５は、本発明の第３実施形態に係る装置５０を示している。この装置５０は、２つの角度位置を取ることが可能なコック５１を備えている。第１の角度位置において、コック５１は、内部空間２９と外部との間に空気を通すことができる。第２の角度位置においては、コックは、内部空間２９を外部から遮断する。第３実施形態において、ベース部４の底部は、管状の壁部５２を有している。この壁部５２は、底端部５３で閉じられ、底端部５３を貫通する径方向の開口部５４を有している。コック５１は、その対称軸を中心に自由に回転できるように、符号５５のところで、容器２のボデー３上にスナップ係合せしめられている。コック５１は、ベース部４の管状壁部５２に密接する凹部５６を有している。径方向に延在する貫通口５７は、凹部５６内に開口する径方向内側の端部を有している。コック５１が、上記第２の角度位置にあるとき、貫通口５７は、開口部５４と一致し、内部空間２９に対する空気の通路を形成することができる。図５に示すように、コック５１は、本装置を最初に使用した後に開口部５７を閉鎖するのに適した膜部材５８を備えている。この膜５８は、取り外し自在にコック５１に取り付けられ、タブ部５９を備えることにより、装置の第１回目の使用時に、使用者が取り外せるようにしている。バッグ２８は、内部空間２９を真空にすることによって、折り畳まれる。膜５８は、コック５１に設けられているときには、弁の機能を果たすという利点を有している。すなわち、この膜５８は、内部空間２９が真空状態であるときに、空気を外部に排出することができるように変形し、空気が反対方向に戻って来るのを防止する。
【００４２】
装置５０は、以下の如く作動する。最初の使用に際し、使用者は、コック５１の開口部５７を、ベース部４の開口部５４と一致させるように位置決めして、膜５８を破る。膜５８を取り除くことによって、内部空間２９に空気を通すことができる。ポンプ１８の押しボタンを作動させると、物質Ｐは、内部空間２３から出ていき、バッグ２８は、変形して、物質Ｐの取り出しにより減少した容積を補償するようになっている。使用後は、第１に、押しボタン１９を誤って作用させてしまった場合に、物質Ｐが出ていくのを防止するために、第２に、物質Ｐの保存状態を良くするために、使用者は、コック５１を回転させて開口部５４を閉じることができる。そうすると、内部空間２９は、外部から遮断される。
【００４３】
図６は、本発明の第４実施形態に係る装置６０の一部を示している。この装置６０は、第１弁６２とフィットするコック６１を備えている。第１弁６２は、コック６１が第１角度位置にあるとき、空気を内部空間から逃がさないようにする一方で、空気を内部空間２９に流入させることができる。使用する弁６２は、それ自体公知のどのような種類の弁であってもよく、概略のみを図示している。弁６２は、外部を内部空間２９に連通させる通路６４を閉鎖する位置と、該通路６４を通って空気が内部空間２９に流入できるようにする位置との間で、コック６１の内側で移動することができるシャッタ６３を有している。コック６１は、第２弁６５と接している。第２弁６５は、コック６１が第２角度位置にあるとき、空気を内部空間２９から流出させるようにする一方で、空気が内部空間２９に戻らないようにすることができる。第４実施形態中、弁６５は、コック６１に固定された固定部６６を有する膜によって構成される。閉鎖した状態において、弁６５は、コック６１を径方向に貫通するチャネルであってベース部４の管部６９が係合する凹部６８内に開口する径方向内側の端部を有するチャネル６７を閉鎖する。端部材（エンド・ピース）７０は、管部６９内に固定される。この端部材７０は、該端部材７０に沿って上端が内部空間２９内に開口すると共に下端が管部６９の壁を貫通する開口部７２を介して管部６９の外側へ開口したチャネル７１を有している。図６に示すように、コック６１が上記第２角度位置に位置しているとき、チャネル６７は、開口部７２と一致する。端部材７０は、側方開口７３を構成する狭間を備えた上端を有している。側方開口７３は、チャネル７１がバッグ２８によって閉鎖される可能性をなくして、内部空間２９から空気を流出させるようにしている。コック６１は、符号７４のところでベース部４に取り付けられる。
【００４４】
バッグ２８を折り畳むためには、コック６１は、上記第２角度位置に位置決めされ、チャネル６７，７１から空気排出することによって、内部空間２９を真空状態にする。空気が流出している間、弁６５は開放され、空気を逃がすことができる。内部空間２９が一旦真空状態になると、弁６５は閉じられ、該空間に空気が流入しないようにする。保管のためには、容器が充填された後に、コックを回転させ、上記２つの角度位置間の中間位置を占めるようにすることができる。このとき、開口部７２は、コック６１の凹部６８の壁部によって閉じられる。最初に使用する際には、コック６１を回転させて、通路６４を開口部７２と一致させるようにする。弁６２は、開放され、空気を内部空間２９に流入させることができる。装置を使用している間、コック６１は、この角度位置に保持される。コック６１は、例えば、装置の運搬中や、長期間にわたって使用せずに保管しなければならないときに、再度回転させることにより、内部空間２９を遮断することができる。
【００４５】
もちろん、本発明の範囲を超えることなく、上記装置に多様な変形を加えることが可能である。特に、ポンプは、使用する物質の詰め替えができるように、容器に取り外し自在に取り付けることができる。
【００４６】
図７に示すように、バッグは、周縁部が容器の壁部に固定される弾性を有する膜８０の形態を有していてもよい。この膜８０は、初期には平らであるか、又は物質に対して僅かに凹凸状である。また、膜８０は、１５ｍｍ〜２０ｍｍの高さまで弾性的に変形することができ、例えば、物質の取り出しに対応して容器の内部をぴったりと覆うようになる。
【００４７】
したがって、この発明の装置の製造は、比較的平らで硬質の壁部を有し押しボタン１９を備えたポンプ８１を上部に設けた容器８１内に、物質を収容することが可能である。
【００４８】
図７の破線は、容器が空のときにバッグが占有する状態と、中間の状態とを示している。
【００４９】
バッグは容器が満たされているときにテンションが有意に作用し、バッグを容器の内部に保持する目的で硬質の壁部の手段によって容器の底部を閉鎖する必要がない。
【００５０】
しかし、図７は、容器の底端部を閉鎖しかつ使用前には剥離フィルム８４によって閉鎖されているオリフィス８３を備えた壁部８２を示している。壁部８２と剥離フィルム８４を設けることにより、使用前にバッグ８０を周囲の空気から隔離することができ、物質（内容物）の保存状態が良くなる。使用する前に、剥離フィルム８４を取り除く。また、剥離フィルムの代わりに、スナップ式ペグを使用してもよい。
【００５１】
バッグの厚さは、ある領域（ゾーン）が他の領域よりも容易に変形できるように、一定でなくてもよい。これにより、バッグは、１つ以上の方向により容易に変形できる。
【図面の簡単な説明】
【００５２】
【図１】本発明の第１実施形態に係る流体又は半流体の物質を収容し小出しするための装置を初めて使用する前の状態を示す図である。
【図２】図１の装置の使用状態を示す図である。
【図３】本発明の第２実施形態に係る装置を初めて使用する前の状態を示す図である。
【図４】図３の装置の使用が終了した状態を示す図である。
【図５】本発明の第３実施形態に係る装置を初めて使用する前の状態を示す図である。
【図６】本発明の第４実施形態に係る装置を初めて使用する前の状態を示す図である。
【図７】本発明の第５実施形態を示す図である。
【符号の説明】
【００５３】
１      装置
２      容器
３      ボデー
４      ベース部
５      スカート
６      リム
７      スカート
８      狭小部
９      スカート
１０    平面状壁部
１１    開口部
１２    固定スタッド
１４    クロージャー手段
１５    壁部
１６    首部
１７    リム
１８    ポンプ
１９    押しボタン
２０    キャップ
２１    チューブ
２２    底端部
２３    内部空間
２４    側方開口部
２５    カバー
２６    肩部
２８    バッグ
２９    内部空間
３０    リップ
３１    環状溝
３２    封止リップ
４０    装置
４１    弁
４２    膜
４３    オリフィス
４４    保持部材
４５    リム
４６    溝
４７    半球状部
４８    フィンガ
４９ａ  プラグ
４９ｂ  管状延長部
５０    装置
５１    コック
５２    壁部
５３    底端部
５４    開口部
５５    符号
５６    凹部
５７    貫通口
５８    膜
５９    タブ部
６０    装置
６１    コック
６２    第１弁
６３    シャッタ
６４    通路
６５    第２弁
６６    固定部
６７    チャネル
６８    凹部
６９    管部
７０    端部材
７１    チャネル
７２    開口部
７３    側方開口
７４    符号
８０    膜
８１    ポンプ
８２    壁部
８３    オリフィス
８４    剥離フィルム
Ｐ      化粧用物質
【図１】
2005206255.tif 000003
【図２】
2005206255.tif 000004
【図３】
2005206255.tif 000005
【図４】
2005206255.tif 000006
【図５】
2005206255.tif 000007
【図６】
2005206255.tif 000008
【図７】
2005206255.tif 000009
【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
流体又は半流体の物質（Ｐ）を収容し小出しするための装置（１；４０；５０；６０）において、
ポンプ（１８）が設けられる物質注出用オリフィスを有し上記物質（Ｐ）を収容するのに適した容器であって、該容器の内側に上記物質（Ｐ）を収容するスペース（２３）を形成するバッグからなる底壁部（２８）を有する容器（２）を備え、
上記ポンプ（１８）は、空気を流入させることなく物質（Ｐ）を注出させることができるようにするのに適した弁を備え、
上記バッグ（２８）は、上記スペース（２３）の容積を減じるようにかつ容器（２）内の物質（Ｐ）が空気に接することのないように、上記物質（Ｐ）の注出に対応して上記容器（２）の内側を移動することができ、
上記バッグ（２８）の一端側周縁部は、上記容器（２）に固定され、
上記バッグ（２８）は、バッグ（２８）が容器（２）の内部形状と実質的に一致するまで変形して上記スペース（２３）の容積を減じるように構成され、
上記バッグ（２８）は、弾性的に変形可能な材料からなり、
更に、少なくとも装置を最初に使用する前に、上記バッグ（２８）の内部（２９）を周囲の空気から遮断するのに適したクロージャー手段（１４；４１，４４；５１，５８；６１，６５；８４）を備えていることを特徴とする装置。
【請求項２】
上記ポンプ（１８）は、使用時に、上記容器（２）の上部に位置することを特徴とする請求項１記載の装置。
【請求項３】
上記バッグ（２８）は、初期に、その壁部にテンションが作用しないように展開し、その後、弾性的に拡張できるように構成されたことを特徴とする請求項１又は２記載の装置。
【請求項４】
上記バッグ（２８）は、初期に、その壁部にテンションが作用しないようにかつ上記物質（Ｐ）が初期に占めていたスペース（２３）の半分以上を占めるように展開し、次いで、弾性的に拡張して注出されるべき上記物質（Ｐ）が占める残りのスペース（２３）を占めるように構成されたことを特徴とする請求項３記載の装置。
【請求項５】
上記バッグ（２８）は、弾性変形不能であり気体に対する高不浸透性を有する裏材を内側に備え、
該裏材は、上記バッグ（２８）の上記壁部がテンションの作用を受けるまで、バッグ（２８）の変形に対応して展開されるように構成されたことを特徴とする請求項４記載の装置。
【請求項６】
上記バッグ（２８）は、上記容器（２）が満たされているとき、有意にテンションの作用を受けていることを特徴とする請求項１又は２記載の装置。
【請求項７】
上記バッグ（２８）は、実質的に平らな膜形状をなしていることを特徴とする請求項６記載の装置。
【請求項８】
上記容器（２）は、空になるときに、上記バッグ（２８）が１５ｍｍ〜２０ｍｍの高さを移動するように構成されたことを特徴とする請求項７記載の装置。
【請求項９】
上記バッグ（２８）の内部（２９）を外部に連通させるための開口部に設けられた弁であって、空気を上記バッグ（２８）内に流入させることができるようにする一方空気を外部へ流出させることを防止できるように構成された弁（４１，６２）を備えたことを特徴とする請求項１記載の装置。
【請求項１０】
上記バッグ（２８）は、バッグ（２８）内の空気が吸い出されることにより、装置使用前に折り畳まれていることを特徴とする請求項１記載の装置。
【請求項１１】
上記バッグ（２８）は、折り畳み状態においてベロー形状をなすことを特徴とする請求項１〜１０のいずれかに記載の装置。
【請求項１２】
上記クロージャー手段（１４；４１，４４；５１，５８；６１，６５）は、少なくとも２つの位置を有するコック（４４；５１；６１）を備え、
該コック（４４；５１；６１）は、一方の位置において空気の上記バッグ（２８）内への流入を防止し、他方の位置において空気をバッグ（２８）内に流入させることができるように構成されたことを特徴とする請求項１〜１１のいずれかに記載の装置。
【請求項１３】
上記コック（６１）は、空気入口弁（６２）と空気出口弁（６５）とを備え、
空気入口弁（６２）は、コック（６１）の第１位置において、空気をバッグ（２８）から流出させることを防止する一方空気をバッグ（２８）内に流入させるように機能し、
空気出口弁（６５）は、コック（６１）の第２位置において、空気をバッグ（２８）から流出させるようにする一方空気をバッグ（２８）内に流入させることを防止できるように機能することを特徴とする請求項１２記載の装置。
【請求項１４】
上記クロージャー手段は、取り外し可能な膜部材（１４；５８）を有していることを特徴とする請求項１〜１３のいずれかに記載の装置。
【請求項１５】
上記バッグ（２８）は、上記容器（２）のボデー（３）にスナップ係合で固定されるベース部（４）に固定されたことを特徴とする請求項１〜１４のいずれかに記載の装置。
【請求項１６】
上記バッグ（２８）は、他のゾーンよりもより容易に変形するゾーンを有するように一定でない厚さを有し、これにより、１つ以上の方向に容易に変形できるようにしたことを特徴とする請求項１〜１５のいずれかに記載の装置。